【手続補正書】
【提出日】平成23年5月24日(2011.5.24)
【手続補正１】
【補正対象書類名】特許請求の範囲
【補正対象項目名】全文
【補正方法】変更
【補正の内容】
【特許請求の範囲】
【請求項１】
それぞれが頂を有する波形シートの段に接着剤を塗布する方法であって、
ａ）アプリケータロールの外面に接着剤層を塗布し、前記アプリケータロールを回転させるステップと、
ｂ）前記アプリケータロールに隣接するウェブポジショニングロールを回転させるステップであり、前記ウェブポジショニングロールおよび前記アプリケータロールがそれぞれ回転軸を有し、それらのロールの外面間にギャップを画定するステップと、
ｃ）前記接着剤層から前記段に接着剤を塗布するために、前記ウェブポジショニングロールを回転させることによって、前記アプリケータロールの前記外面に隣接し、前記ギャップを通り抜けて延びる、前記波形シートの経路に沿って、前記波形シートを移動させるステップと、
ｄ）制御システムを利用して、前記ギャップの幅の複数回の測定の比較に基づき、前記回転軸をそれぞれ互いに対して実質的に平行に自動的に維持するステップと、
ｅ）前記段の前記頂を前記アプリケータロールと接触させ、それにより前記頂に糊を付着させるステップと
を含む方法。
【請求項２】
前記アプリケータロールに対する前記ウェブポジショニングロールの前記位置を調整して、前記ギャップの所定の幅を設定し、それにより前記アプリケータロールに対する前記段の圧縮の程度を調節するステップをさらに含む、請求項１に記載の方法。
【請求項３】
前記制御システムに少なくとも一対のアクチュエータを提供するステップであり、前記アクチュエータの第１のアクチュエータが前記ウェブポジショニングロールの第１の端に結合され、前記アクチュエータの第２のアクチュエータが前記ウェブポジショニングロールの第２の端に結合されるステップと、
前記第１のアクチュエータを利用して、前記アプリケータロールに対する前記ウェブポジショニングロールの前記第１の端の位置を調整するステップと、
前記第２のアクチュエータを利用して、前記アプリケータロールに対する前記ウェブポジショニングロールの前記第２の端の位置を調整するステップと
をさらに含み、
前記ウェブポジショニングロールの前記第１および第２の端の前記位置がそれぞれ、前記アプリケータロールに対して独立に調整可能である、
請求項２に記載の方法。
【請求項４】
前記ウェブポジショニングロールの前記第１の端と前記アプリケータロールの間の前記ギャップの第１の実際の幅を測定するステップと、
前記ウェブポジショニングロールの前記第２の端と前記アプリケータロールの間の前記ギャップの第２の実際の幅を測定するステップと、
前記制御システムを利用して、前記第１の実際の幅と前記第２の実際の幅の間の距離の差を計算するステップと
をさらに含む、請求項３に記載の方法。
【請求項５】
前記第１および第２のアクチュエータのうちの少なくとも一方を利用して、前記ウェブポジショニングロールの前記第１および第２の端のうちの関連した一方の端の前記位置を、前記ウェブポジショニングロールの前記第１および第２の端のうちの他方の端に対して、前記距離の差に基づく調整距離だけ、選択的に調整するステップをさらに含む、請求項４に記載の方法。
【請求項６】
ｆ）前記ウェブポジショニングロールの前記第１の端と前記アプリケータロールの間の前記ギャップの第１の実際の幅を測定するステップと、
ｇ）前記ウェブポジショニングロールの前記第２の端と前記アプリケータロールの間の前記ギャップの第２の実際の幅を測定するステップと、
ｈ）前記制御システムを利用して、前記第１の実際の幅と前記第２の実際の幅の間の距離の差を計算するステップと、
ｉ）前記第１および第２のアクチュエータのうちの少なくとも一方を利用して、前記ウェブポジショニングロールの前記第１および第２の端のうちの一方の端の前記位置を、前記ウェブポジショニングロールの前記第１および第２の端のうちの他方の端に対して、前記距離の差に基づく調整距離だけ、選択的に調整するステップと、
ｊ）前記第１の実際の幅と前記第２の実際の幅の間の前記距離の差が実質的にゼロになるまで、ステップ（ｇ）、（ｈ）、（ｉ）および（ｊ）を反復的に繰り返すステップと
をさらに含む、請求項１に記載の方法。
【請求項７】
複数の前記段頂の平均高さを測定するステップと、
前記平均高さに基づいて、前記ギャップの所望の幅を決定するステップと、
前記制御システムを利用して、前記アプリケータロールに対する前記ウェブポジショニングロールの前記位置を自動的に調整し、それにより前記ギャップの前記所望の幅を維持するステップと、
をさらに含む、請求項１に記載の方法。
【請求項８】
それぞれが頂を有する波形シートの段に接着剤を塗布する方法であって、
ａ）アプリケータロールの外面に接着剤層を塗布し、前記アプリケータロールを回転させるステップと、
ｂ）前記アプリケータロールに隣接するウェブポジショニングロールを回転させるステップであり、前記ウェブポジショニングロールおよび前記アプリケータロールが、それらのロールの外面間にギャップを画定するステップと、
ｃ）前記接着剤層から前記段に接着剤を塗布するために、前記ウェブポジショニングロールを回転させることによって、前記アプリケータロールの前記外面に隣接し、前記ギャップを通り抜けて延びる、前記波形シートの経路に沿って、前記波形シートを移動させるステップと、
ｄ）複数の前記段頂の平均高さを測定するステップと、
ｅ）前記平均高さに基づいて、前記ギャップの所望の幅を決定するステップと、
ｆ）制御システムを利用して、前記アプリケータロールに対する前記ウェブポジショニングロールの前記位置を自動的に調整し、それにより前記ギャップの前記所望の幅を維持するステップと、
ｇ）前記段の前記頂を前記アプリケータロールと接触させ、それにより前記頂に糊を付着させるステップと
を含む方法。
【請求項９】
前記複数の段頂の前記平均高さを光学的に測定するステップをさらに含む、請求項８に記載の方法。
【請求項１０】
前記ウェブポジショニングロールを回転させて、前記波形シートの前記段の移動を引き起こすステップと、
前記ウェブポジショニングロールに隣接する位置にアイドラロールを、前記段の前記移動が前記アイドラロールの反対方向への回転を引き起こすように配置するステップと、
前記アイドラロールの表面線速度を決定するステップと、
前記アイドラロールの前記表面線速度に基づいて、前記複数の段頂の前記平均高さを測定するステップと
をさらに含む、請求項８に記載の方法。
【請求項１１】
前記平均高さに基づいて、前記ギャップを通過する前記段頂に加える所望の圧力を決定するステップと、
前記制御システムを利用して、前記アプリケータロールに対する前記ウェブポジショニングロールの前記位置を自動的に調整し、それにより前記所望の圧力を維持するステップと
をさらに含む、請求項８に記載の方法。
【請求項１２】
前記制御システムを利用して、前記ウェブポジショニングロールの回転軸を、前記アプリケータロールの回転軸に対して実質的に平行に自動的に維持するステップをさらに含む、請求項８に記載の方法。
【請求項１３】
それぞれが頂を有する波形シートの段に接着剤を塗布する方法であって、
ａ）アプリケータロールの外面に接着剤層を塗布し、前記アプリケータロールを回転させるステップと、
ｂ）前記アプリケータロールに隣接するウェブポジショニングロールを回転させるステップであり、前記ウェブポジショニングロールおよび前記アプリケータロールが、それらのロールの外面間にギャップを画定するステップと、
ｃ）前記接着剤層から前記段に接着剤を塗布するために、前記ウェブポジショニングロールを回転させることによって、前記アプリケータロールの前記外面に隣接し、前記ギャップを通り抜けて延びる、前記波形シートの経路に沿って、前記波形シートを移動させるステップと、
ｄ）複数の前記段頂の平均高さを測定するステップと、
ｅ）前記平均高さに基づいて、前記ギャップを通過する前記段頂に加える所望の圧力を決定するステップと、
ｆ）制御システムを利用して、前記アプリケータロールに対する前記ウェブポジショニングロールの前記位置を自動的に調整し、それにより前記所望の圧力を維持するステップと、
ｇ）前記段の前記頂を前記アプリケータロールと接触させ、それにより前記頂に糊を付着させるステップと
を含む方法。
【請求項１４】
前記ウェブポジショニングロールを回転させて、前記波形シートの前記段の移動を引き起こすステップと、
前記ウェブポジショニングロールに隣接する位置にアイドラロールを、前記段の前記移動が前記アイドラロールの反対方向への回転を引き起こすように配置するステップと、
前記アイドラロールの表面線速度を決定するステップと、
前記アイドラロールの前記表面線速度に基づいて、前記複数の段頂の前記平均高さを測定するステップと
をさらに含む、請求項１３に記載の方法。
【請求項１５】
前記平均高さに基づいて、前記ギャップの所望の幅を決定するステップと、
前記制御システムを利用して、前記アプリケータロールに対する前記ウェブポジショニングロールの前記位置を自動的に調整し、それにより前記ギャップの前記所望の幅を維持するステップと
をさらに含む、請求項１３に記載の方法。